(57)【特許請求の範囲】
【請求項１】
運転制御部とリモコンと、出湯口を有したタンクと、このタンク内の水を加熱する加熱手段と、給湯配管接続口を有した給湯プラグと、風呂用配管接続口を有した風呂プラグと、給水接続口を有した減圧弁と、この減圧弁で一定かつ同一の水圧に保たれた水と湯を混合する湯水混合器と、この湯水混合器が所定温度の湯を出力するようコントロールする混合制御手段と、風呂出湯弁を介して前記風呂プラグに連通する湯水混合器の出口は、前記リモコンで風呂湯はりを指示すると、前記運転制御部は、前記風呂出湯弁を開放して、風呂湯はりを開始し、前記給湯プラグから湯が出湯されると、この給湯プラグの入り口に設けた給湯検知手段が流体の流れを検知し、その期間、前記風呂出湯弁を閉じて風呂湯はりを中断し、風呂湯はりの開始からの積算時間が所定時間Ｔ０に達すると、前記風呂出湯弁を閉じて風呂湯はりを完了し、前記リモコンには、湯はり時間初期設定手段と、水位決定手段を備え、この湯はり時間初期設定手段によって風呂湯はりを開始すると、前記湯はり時間表示部は、風呂湯はりしている積算時間を表示し、風呂浴槽の水位が任意の高さに達した時点で前記水位決定手段を作動させると、風呂出湯弁を閉止し、この時点での積算時間を湯はり時間として記憶することを特徴とする配管内蔵型貯湯式給湯装置。
【請求項２】
リモコンには湯はり時間表示部と湯はり中断報知手段と湯はり完了報知手段を備え、風呂湯はりが開始されると、前記湯はり時間表示部は風呂湯はり完了までの残り時間をカウントダウンして表示し、風呂湯はりが中断すると、前記湯はり中断報知手段が作動するとともにカウントダウンが中断し、風呂湯はりが完了すると、前記風呂湯はり完了報知手段が作動する請求項１記載の配管内蔵型貯湯式給湯装置。
【請求項３】
湯はり時間初期設定手段は、湯水混合器の出口湯温を無視して水側と湯側が一定の比率で混合されるよう固定される請求項２記載の配管内蔵型貯湯式給湯装置。
【請求項４】
湯はり時間変更手段を設け、この湯はり時間変更手段を作動すると，一旦記憶された湯はり時間を変更し、なおかつ変更後の時間を湯はり時間として記憶するとともに、風呂湯はり中は、風呂湯はり完了までの残り時間Ｔ１を変更できる請求項１ないし３のいずれか１項記載の配管内蔵型貯湯式給湯装置。
【請求項５】
点検時期報知手段と、給湯検知手段には流量レベルを検知する手段を備え、風呂出湯弁が開放した総積算時間に係数を乗じた数値と、前記給湯検知手段が検知した
流量の積算値の和が所定数値に達すると、前記点検時期報知手段が作動する請求項１ないし４のいずれか１項記載の配管内蔵型貯湯式給湯装置。
【発明の詳細な説明】
【０００１】
【発明の属する技術分野】
本発明は、主として電気ヒーターや、バーナーを熱源とする家庭用の配管内蔵型貯湯式給湯装置に関する。
【０００２】
【従来の技術】
この種の家庭用の配管内蔵型貯湯式給湯装置は、図６に示すように、給水接続口４１−１を有した減圧弁４１と、頂部に出湯口４２を有したタンク４３と、加熱手段４４と、給湯配管接続口４５を有した給湯プラグ４６を有し、給水した水は減圧弁４１で一定の水圧に調圧されてタンク４３下部より貯えられ、主に深夜の一定時間に加熱手段４４により加熱されて湯となり、出湯口４２から給湯プラグ４６を経て使用できるように構成されている。
【０００３】
また、外装体底部４７には風呂往きプラグ４８と風呂戻りプラグ４９を有し、２経路の風呂配管５０を介して、風呂アダプター５１に接続されている。風呂往きプラグ４８の入り口には、風呂追いだき手段５２と、逆止弁５３と、風呂出湯弁５４と、湯水混合器５５が接続されており、さらに、湯水混合器５５の水入り口は減圧弁４１、湯入り口はタンク出湯管４２と連通し、水と湯を一定かつ同一の水圧のもとで混合し、温度調節した湯を風呂５１−１に注湯するようになっている。
【０００４】
風呂戻りプラグ４９には水圧検知手段５６と、縁切り二方弁５７と、風呂循環手段５８が接続されており、風呂５１−１より戻った湯は、風呂追いだき手段５２の入り口で合流するように構成されている。５９は湯温サーミスターで、風呂
５１−１の湯温がフィードバック制御によりコントロールできるようになっている。
【０００５】
ユーザーが風呂湯はりを指示した場合、縁切り二方弁５７を閉止して、所定温度で湯はりを開始し、水圧センサー５６が所定水位に対応する水圧レベルＰ１に達するまで風呂湯はりするようになっている。
【０００６】
ところで、水圧センサー５６の出力レベルは、風呂浴槽５１−１の位置と水圧センサー５６の位置の高低差により変化するため、設置の条件ごとに、水圧のレベルあわせをする必要がある。
【０００７】
試運転時において、縁切り二方弁５７を開き、風呂出湯弁５４を開放して、水圧センサー５６部にも水を満たしながら湯はりするようになっている。そして、水位が風呂浴槽内の風呂アダプター５１の高さを越えると、水圧センサー５６は水圧変動を検知するが、この時の水圧レベルＰ０を基準水圧として記憶し、所定水位に相当する水圧レベルＰ１を計算するようになっている。
【０００８】
【発明が解決しようとする課題】
最近は、家屋の間取りが多様化していることと、給湯装置の設置スペースが少ないといった問題から、風呂の位置、給湯装置の位置は家庭により異なり、風呂配管の設置バリエーションは多種多様である。当然、風呂配管が長くなったり、風呂配管の曲がり部が数多くなるような場合もあり、このような風呂配管条件では、風呂配管内部に空気溜りができて水圧センサーの水圧レベルが安定しないことがあって、従来の技術では、水位と水圧のレベルあわせがおかしくなって、湯量不足となったり浴槽から湯があふれたりする問題があった。
【０００９】
【課題を解決するための手段】
本発明は、上記従来の問題を解決する事を課題とし、運転制御部とリモコンと、出湯口を有したタンクと、このタンク内の水を加熱する加熱手段と、給湯配管接続口を有した給湯プラグと、風呂用配管接続口を有した風呂プラグと、給水接続口を有した減圧弁と、この減圧弁で一定かつ同一の水圧に保たれた水と湯を混合する湯水混合器と、この湯水混合器が所定温度の湯を出力するようコントロールする混合制御手段と、風呂出湯弁を介して前記風呂プラグに連通する湯水混合器の出口は、前記リモコンで風呂湯はりを指示すると、前記運転制御部は、前記風呂出湯弁を開放して、風呂湯はりを開始し、前記給湯プラグから湯が出湯されると、この給湯プラグの入り口に設けた給湯検知手段が流体の流れを検知し、その期間、前記風呂出湯弁を閉じて風呂湯はりを中断し、風呂湯はりの開始からの積算時間が所定時間Ｔ０に達すると、前記風呂出湯弁を閉じて風呂湯はりを完了し、前記リモコンには、湯はり時間初期設定手段と、水位決定手段を備え、この湯はり時間初期設定手段によって風呂湯はりを開始すると、前記湯はり時間表示部は、風呂湯はりしている積算時間を表示し、風呂浴槽の水位が任意の高さに達した時点で前記水位決定手段を作動させると、風呂出湯弁を閉止し、この時点での積算時間を湯はり時間として記憶する構成としている。
【００１０】
上記発明によれば、湯側入り口と水側入り口は、共に減圧弁により同一で一定の水圧に調圧されていることから、断水などの異常時を除いて、前記湯水混合器の出口より出湯される流量は、安定した流量を確保することができるうえに、カラン口やシャワー口の使用で給湯配管に湯が流出し、風呂配管への流量が減少する場合には、前記給湯検知手段の働きで風呂湯はりを中断するようにしているため、風呂への湯はり流量は、風呂配管の設置条件や別途給湯出湯される流量の条件に関係なく、常に一定量を保つことができる。
【００１１】
よって、浴槽への湯はりを積算時間にて制御でき、従来のように水圧センサーを用いて浴槽の水位を検出するという方法に比べ、風呂配管内部に空気溜りがあって水圧が不安定な状態になっても、風呂湯はり時の風呂浴槽の水位が不安定となることはなくなる。
【００１２】
また、水圧センサーと縁切り二方弁が廃止できたことで、部品の耐久性悪化によって、出力レベルがずれを起こし、浴槽の水位が安定しなくなるだけでなく、風呂湯はりそのものができなくなるといった故障の発生も撲滅できる。
【００１３】
【発明の実施の形態】
本発明の請求項１の配管内蔵型貯湯式給湯装置は、運転制御部とリモコンと、出湯口を有したタンクと、このタンク内の水を加熱する加熱手段と、給湯配管接続口を有した給湯プラグと、風呂用配管接続口を有した風呂プラグと、給水接続口を有した減圧弁と、この減圧弁で一定かつ同一の水圧に保たれた水と湯を混合する湯水混合器と、この湯水混合器が所定温度の湯を出力するようコントロールする混合制御手段と、風呂出湯弁を介して前記風呂プラグに連通する湯水混合器の出口は、前記リモコンで風呂湯はりを指示すると、前記運転制御部は、前記風呂出湯弁を開放して、風呂湯はりを開始し、前記給湯プラグから湯が出湯されると、この給湯プラグの入り口に設けた給湯検知手段が流体の流れを検知し、その期間、前記風呂出湯弁を閉じて風呂湯はりを中断し、風呂湯はりの開始からの積算時間が所定時間Ｔ０に達すると、前記風呂出湯弁を閉じて風呂湯はりを完了し、前記リモコンには、湯はり時間初期設定手段と、水位決定手段を備え、この湯はり時間初期設定手段によって風呂湯はりを開始すると、前記湯はり時間表示部は、風呂湯はりしている積算時間を表示し、風呂浴槽の水位が任意の高さに達した時点で前記水位決定手段を作動させると、風呂出湯弁を閉止し、この時点での積算時間を湯はり時間として記憶する構成としている。
【００１４】
そして、湯側入り口と水側入り口は、共に減圧弁により同一で一定の水圧に調圧されていることから、断水などの異常時を除いて、前記湯水混合器の出口より出湯される流量は、安定した流量を確保することができるうえに、カランやシャワーの使用で給湯配管に湯が流出し、風呂配管への流量が減少する場合には、前記給湯検知手段の働きで風呂湯はりを中断するようにしているため、風呂への湯はり流量は、風呂配管の設置条件や別途給湯出湯される流量の条件に関係なく、常に一定量を保つことができる。
【００１５】
従って、浴槽への湯はりを積算時間にて制御でき、従来のように水圧センサーを用いて浴槽の水位を検出するという方法に比べ、風呂配管内部に空気溜りがあって水圧が不安定な状態になっても、風呂湯はり時の風呂浴槽の水位が不安定となることはなくなる。
【００１６】
また、水圧センサーと縁切り二方弁が廃止できるため、この部品の耐久性悪化によって、出力レベルがずれを起こし、浴槽の水位が安定しなくなるだけでなく、風呂湯はりそのものができなくなるといった故障の発生もなくなる。
【００１７】
そして、試運転で風呂浴槽へ通水する際に風呂湯はり完了までに所要する湯はり時間Ｔ０を計測し、自動的にその湯はり時間Ｔ０にて湯はりができることから、風呂配管の設置バリエーションと浴槽のサイズに関係なく、最適な水位が確実に再現できるようになる。
【００１８】
請求項２の配管内蔵型貯湯式給湯装置は、リモコンには湯はり時間表示部と湯はり中断報知手段と湯はり完了報知手段を備え、風呂湯はりが開始されると、前記湯はり時間表示部は風呂湯はり完了までの残り時間をカウントダウンして表示し、風呂湯はりが中断すると、前記湯はり中断報知手段が作動するとともにカウントダウンが中断し、風呂湯はりが完了すると、前記風呂湯はり完了報知手段が作動する構成としている。
【００１９】
そして、風呂湯はり完了までの所要時間は、風呂配管の設置バリエーションと浴槽のサイズによって異なることから、ユーザーが入浴できるタイミングをあらかじめ知っておくことができず、使い勝手が悪いという問題があったが、湯はり時間表示部が、風呂湯はり完了までの残り時間Ｔ１をカウントダウンして表示することと、風呂湯はりを中断している間は、湯はり中断報知手段が作動して、ユーザーに風呂湯はりが中断している状況を知らせてくれるので、大幅に使い勝手がよくなる。
【００２０】
請求項３では、湯はり時間初期設定手段は、湯水混合器の出口湯温を無視して水側と湯側が一定の比率で混合されるよう固定される構成としている。
【００２１】
そして、システム配管の設置工事が完了したばかりの状態であっても、通水試験により配管部からの水漏れ検査が可能であり、なおかつ湯水混合器が出口湯温に関係なく、水側と湯側からほぼ同量の流量を流すことによって実際に風呂湯はりする場合と一致した流量を再現でき、正確な湯はり時間が計時できる。
【００２２】
請求項４の配管内蔵型貯湯式給湯装置は、湯はり時間変更手段を備え、この湯はり時間変更手段を作動すると，一旦記憶された湯はり時間を変更し、なおかつ変更後の時間を湯はり時間として記憶するとともに、風呂湯はり中は、風呂湯はり完了までの残り時間を変更できる構成としている。
【００２３】
そして、ユーザーの生活の場面に応じて、水位を変更できるようになり、使い勝手が向上する。また、湯はり時間を変更した場合は、変更後の湯はり時間を記憶するようにしているため、何度も変更し直す必要はなく、一時的に変更する場合は風呂湯はり中に変更してやれば、今後の湯はりは、元通りの湯はり時間Ｔ０で行うため、便利で使い勝手の良い機能が実現できている。
【００２４】
請求項５の配管内蔵型貯湯式給湯装置は、点検時期報知手段と給湯検知手段には流量レベルを検知する手段を備え、生産されてから、風呂出湯弁が開放した積算時間に係数を乗じた数値と、給湯検知手段が検知した流量の積算値の和が所定数値に達すると、前記点検時期報知手段が作動する構成となっている。
【００２５】
そして、給湯使用量が多くなって給湯装置の寿命が短くなり、部品が劣化したり、異物の析出で配管内部が狭くなったりしてきた時期がわかって、故障による被害が発生する前に、リモコンの報知で、点検を実施することができるようになる。
【００２６】
【実施例】
以下、本発明の実施例について図を参照して説明する。
【００２７】
（実施例１）
本発明の実施例１の内容を、図１、図２、図３にて説明する。
【００２８】
図１は本発明の実施例１の断面図である。図２は、本発明の実施例１を使ったシステム配管図である。図３は本発明の実施例１のリモコンを示す図である。
【００２９】
図１、図２、図３において、１は運転制御部であり、これにリモコン２と、加熱手段３と、混合制御手段４と、風呂出湯制御手段５と、風呂追いだき手段６と、風呂循環手段７と、給湯検知手段８が接続され、ユーザーが操作するリモコン２の命令にしたがって、それぞれをコントロールしながら給湯装置の運転ができるようになっている。リモコン２は、台所等の壁面に設置して使うようにできている。
【００３０】
また、タンク９の前方にはプラグ固定金具１０があって、給湯プラグ１１が固定されている。給湯プラグ１１の出口部は給湯配管接続口１１−１となっており、カラン口１２やシャワー口１３までの給湯配管１２−１がシステム配管工事され接続されている。給水配管１４−２を経由して、給水接続口１４−１を有した減圧弁１４により給水した水は一定の水圧に調圧されてタンク９の下部より貯えられ、主に深夜の一定時間に加熱手段３により加熱されて湯となり、カラン口１２やシャワー口１３が開かれると、出湯口９−１から給湯プラグ１１を経て、出湯されるように構成されている。
【００３１】
架台１５には、風呂往きプラグ１６と風呂戻りプラグ１７が固定されており、システム配管工事された２つの経路の風呂配管１８−１を介して風呂アダプター１８と連通するようになっている。風呂往きプラグ１６の入り口には、風呂追いだき手段６と、逆止弁１９と、風呂出湯弁２０と、湯水混合器２１がそれぞれホース１６−１を介して接続されており、さらに、湯水混合器２１の水入り口２１−１は減圧弁１４、湯入り口２１−２はタンク出湯口９−１と連通し、水と湯を一定かつ同一の水圧のもとで混合し、温度調節した湯を風呂に注湯するようになっている。
【００３２】
風呂戻りプラグ１７には風呂循環手段７が接続されており、風呂より戻った湯は、風呂追いだき手段６の入り口で合流するように構成されている。２２は湯温サーミスターで、風呂の湯温がフィードバック制御によりコントロールできるようになっている。
【００３３】
給湯プラグ１１の入口部には、逆流時に作動しない構成の流量センサー２３が接続されており、給湯検知手段６により、給湯配管１２−１内で湯または水が出湯方向に流れたことを検知できるようになっている。
【００３４】
２４はタンク９の外周部を覆った断熱保熱材で、長時間の蓄熱を可能にしている。２５
は外装体で、設置時の配管施工や定期点検を行う場合には、前板２６がビス２６−１の着脱で取り外しできるようになっている。
【００３５】
また、リモコン２には、主にスイッチで構成された湯はり開始手段２７と、蛍光管による湯はり時間表示部２８と、ＬＥＤとブザーにより構成された湯はり中断報知手段２９と湯はり完了報知手段３０が設けられている。
【００３６】
次に上記構成のもとでの動作について説明する。ユーザーがカラン口１２やシャワー口１３を開いた場合、給水圧により湯が給湯配管１２−１を流れ出湯される。ユーザーがリモコン２の湯はり開始手段２７を使って、の風呂湯はりを開始するよう指示した場合、風呂出湯制御手段５は風呂出湯弁２０を開き、給水圧により風呂アダプター１８から注湯が開始される。湯温サーミスター２２は湯水混合器  ２１の出口湯温を検知し、混合制御手段４は、フィードバック制御しながらが湯水混合器２１を駆動させ約９０℃の湯と常温の水との混合比を調整することで、湯温を適温に調整する。
【００３７】
万が一、  ユーザーが風呂湯はり中に、カラン口１２やシャワー口１３を開いた場合、給湯検知手段８は流量センサー  ２３の信号を検知し、リモコン２の湯はり中断報知手段２９を作動させるとともに、風呂出湯弁２０を閉じて湯はりを中断する。
【００３８】
そして、運転制御部１は、風呂出湯弁２０が開放していた積算時間があらかじめ設定された湯はり時間Ｔ０になった時点で、風呂出湯弁２０を閉止するとともに、リモコン２の湯はり完了報知手段３０を作動させて、湯はりを完了する。
【００３９】
また、リモコン２の湯はり時間表示部２８は、風呂湯はりが開始すると、風呂湯はり完了までの残り時間Ｔ１をカウントダウンして表示し、風呂湯はりが中断すると、湯はり中断報知手段３２が作動し、ブザーとＬＥＤの点滅などで知らせするとともにカウントダウンを中断し、風呂湯はりが完了すると、前記風呂湯はり完了報知手段３０が作動し、ブザーとＬＥＤなどで報知する。
【００４０】
本実施例によれば、湯水混合器２１より出力される出湯流量は、湯側と水側が共に減圧弁１４により一定かつ同一の水圧に調圧されていることから、断水などの異常時を除いて、安定した流量を確保することができるうえに、カラン口１２やシャワー口１３の使用で給湯配管１２−１に湯が流出し、風呂配管１８−１への流量が減少する場合には、給湯検知手段８の働きで風呂１８−２  への湯はりを中断し、風呂配管の設置条件や別途給湯出湯される流量の条件に関係なく、湯はり流量を、常に一定量を保つことが実現できた。
【００４１】
このことで、本実施例は、風呂湯はりの積算時間にて、浴槽の水位を制御することが可能となり、たとえ風呂配管１８−１内部に空気溜りがあったとしても、風呂配管１８−１の設置条件に関係なく、風呂１８の浴槽水位は安定し、従来の技術にあった問題は解消される。
【００４２】
また、給湯検知手段６は、流量センサー１６が検出する給湯配管１２−１内の流量が、微少な一定値以上かどうかを判定するために備えているため、センサーの出力レベルのずれにより、風呂湯はり流量が大きく変動し、浴槽水位にずれが発生するといった不具合はなく、耐久性にも優れている。
【００４３】
さらに、水圧センサーと縁切り二方弁が廃止できたことで、通水による異物の析出によって起こる部品の耐久性悪化で、給湯装置そのものが使用できなくなるといった故障の発生も低減できる。
【００４４】
さらに、従来の技術では、風呂湯はり完了までの所要時間は、風呂配管の設置バリエーションと浴槽のサイズによって異なることから、風呂湯はりが完了しユーザーが入浴できる時間を特定することができず、使い勝手が悪いという問題があったが、湯はり時間表示部２８が、風呂湯はり完了までの残り時間Ｔ１をカウントダウンして表示することと、風呂湯はりを中断している間は、湯はり中断報知手段２９が作動して、ユーザーに風呂湯はりが中断している状況を知らせてくれるので、大幅に使い勝手がよくなる。
【００４５】
（実施例２）
本発明の実施例２の内容を、図１、図２、図４、図５にて説明する。
【００４６】
図４は本発明の実施例２のリモコンを示す図である。図５は本発明の実施例２の制御方式を表わした流れ図である。図４において、リモコン２には、２つのスイッチを３秒間同時押し続けることで作動するように設定され、誤操作による誤作動を防止した湯はり時間初期設定手段３１と、この湯はり時間初期設定手段３１と連動する水位決定手段３２と、湯はり時間調節手段３３がある。
【００４７】
システム配管工事が完了し、試運転を実施する場合に、ユーザーは湯はり時間初期設定手段３１の機能を働かせることで、風呂配管１８−１の設置条件、風呂１８−２の浴槽の大きさ条件に対応した風呂湯はり時間ＴＯを決定することができるようになっている。
【００４８】
湯はり時間初期設定手段３１の機能を作動させると、図５の流れ図のステップ３４において、湯はり時間Ｔ０を０分と設定し、湯はり時間表示２８に０分を表示する。ステップ３５において加熱手段３は、瞬時加熱した後の湯温検知値が一定値以上低下することで、タンク７に水が満たされていることを確認し、タンク７に水が満たされている場合には、風呂湯はりに所要する時間を決定するよう動作を開始する。
【００４９】
ステップ３６は、万が一、  ユーザーがカラン口１２やシャワー口１３を開いた場合に、給湯検知手段８は流量センサー２３の信号を検知し、リモコン２の湯はり中断報知手段２９を作動させるとともに、風呂出湯弁２０を閉じて湯はりを中断するようになっている。
【００５０】
ステップ３７において湯はり開始手段２７が湯はりを開始すると、タンク９の水が加熱されていなくとも、湯水混合器２１は湯側流量と水側流量が１：１に混合されるよう設定され、風呂出湯弁２０が開放されて風呂１８−２に通水される。
【００５１】
ステップ３８では、計時タイマーＴ２がタイマー計時しながら湯はり時間表示２８にＴ２分を表示し、通水している時間の積算値がカウントアップして表示される。
【００５２】
ステップ３９にて、水位決定手段３２が湯はりを停止すると、運転制御部１はこの時点の積算時間Ｔ２分を湯はり時間Ｔ０として記憶する。
【００５３】
ステップ４０にて風呂出湯弁２０は閉じられ、風呂１８−２への通水は停止して、湯はり時間初期設定手段３１の機能は完了する。
【００５４】
本実施例によれば、試運転で風呂浴槽へ通水する際に風呂湯はり完了までに所要する湯はり時間Ｔ０を計測し、自動的にその湯はり時間Ｔ０にて湯はりができることから、風呂配管の設置バリエーションと浴槽のサイズに関係なく、最適な水位が確実に再現できるようになる。
【００５５】
また、リモコン２には、湯はり時間調節手段３３があって、運転制御部１が一旦記憶し
た湯はり時間Ｔ０を変更できる機能を持っており、風呂１５の水位を再調整できるようにすると、使い勝手はなおよくなる。
【００５６】
さらに風呂湯はり中には、湯はり時間調節手段３３は、風呂湯はり完了までの残り時間Ｔ１を湯はり時間表示部２８の表示と連動して変更することができ、湯はり水位を場面に合わせてその都度変えることも可能となる。
【００５７】
さらに、リモコン２に点検時期表示手段３４がある本実施例では、運転制御部１は、流量センサー２３の出力レベルの総積算値Ｑ１を算出しており、風呂出湯弁が開放した生産時からの積算時間Ｔ３に係数を乗じた数値Ｑ２（＝係数×Ｔ３）を加えた数値、Ｑ１＋Ｑ２が所定数値Ｑｍに達すると、前記点検時期報知手段が作動するようになっている。ユーザーとしては、設置工事のともなう設備などについては、故障時の被害が設置工事を伴って大きくなってしまうことから、その寿命の時期をおよその目安として知っておきたいものである。
【００５８】
給湯装置の場合は、総給湯量が増加すると、部品が劣化したり、異物の析出で配管内部が閉塞したりして、故障の原因が増えて寿命に至る。給湯装置の寿命に大きく影響する総給湯流量を知るうえで、流量センサーの総積算値Ｑ１は、実際の流量に対して誤差があるものの、目安としては十分である。
【００５９】
また、風呂湯はり時の流量は、風呂配管の設置状態により１５％程度のばらつきはあるものの、およそ、総湯はり流量の目安は、風呂湯はりの総積算時間に、ある係数を乗じた数値Ｑ２でわかるものである。
【００６０】
そして、給湯使用量が多くなって、Ｑ１＋Ｑ２の数値がＱｍとなり、給湯装置の寿命が短くなると、その時期がおよその目安としてわかって、故障による被害が発生する前に、リモコン２の報知で、点検を実施することができるようになる。
【００６１】
【発明の効果】
以上の説明から明らかなように本発明の請求項１によれば、湯側入り口と水側入り口は、共に減圧弁により一定の水圧に調圧されていることから、断水などの異常時を除いて、前記湯水混合器の出口より出湯される流量は、安定した流量を確保することができるうえに、カラン口やシャワー口の使用で給湯配管に湯が流出し、風呂配管への流量が減少する場合には、前記給湯検知手段の働きで風呂湯はりを中断し、風呂への湯はり流量は、風呂配管の設置条件や別途給湯出湯される流量の条件に関係なく、常に一定量を保つことが実現できる。
【００６２】
このことで、本発明は、従来例の水圧センサーを廃止し、浴槽の水位を湯はりする積算時間にて制御できるようになり、風呂配管内部に空気溜りがあって水圧が不安定な状態になっても、風呂湯はり時の風呂浴槽の水位が不安定となることはなくなった。加えて、水圧センサーと縁切り二方弁が廃止できたことで、部品の耐久性悪化によって、出力レベルがずれを起こし、正確な風呂湯はりができなくなるといった故障の発生も低減できる。
【００６３】
また請求項２によれば、風呂湯はり完了までの所要時間は、風呂配管の設置バリエーションと浴槽のサイズによって異なることから、ユーザーが入浴できるタイミングをあらかじめ知っておくことができず、使い勝手が悪いという問題があったが、湯はり時間表示部が、風呂湯はり完了までの残り時間Ｔ１をカウントダウンして表示することと、風呂湯はりを中断している間は、湯はり中断報知手段が作動して、ユーザーに風呂湯はりが中断している状況を知らせてくれるので、大幅に使い勝手がよくなる。
【００６４】
請求項３によれば、試運転で風呂浴槽へ通水する際に風呂湯はり完了までに所要する湯はり時間Ｔ０を計測し、自動的にその湯はり時間Ｔ０にて湯はりができることから、風呂配管の設置バリエーションと浴槽のサイズに関係なく、最適な水位が確実に再現できるようになる。
【００６５】
請求項４によれば、試運転で風呂浴槽へ通水する際に風呂湯はり完了までに所要する湯はり時間Ｔ０を計測し、自動的にその湯はり時間Ｔ０にて湯はりができることから、風呂配管の設置バリエーションと浴槽のサイズに関係なく、最適な水位が確実に再現できるようになる。
【００６６】
請求項５によれば、ユーザーの生活の場面に応じて、水位を変更できるようになり、使い勝手が向上する。変更すれば、今後も変更した湯はり時間を記憶していて、何度も変更し直す必要はないし、その時だけの変更は風呂湯はり中に変更してやれば、今後の湯はりは、元通りの湯はり時間Ｔ０で行うため、便利で使い勝手の良い機能が実現できている。
【００６７】
請求項５によれば、給湯使用量が多くなって給湯装置の寿命が短くなり、部品が劣化したり、異物の析出で配管内部が狭くなったりしてきた時期がわかって、故障による被害が発生する前に、リモコンの報知で、点検を実施することができるようになる。
【図面の簡単な説明】
【図１】  本発明の実施例１を示した断面図
【図２】  本発明の実施例１のシステムを示す配管図
【図３】  本発明の実施例１のリモコンを示す図
【図４】  本発明の実施例２のリモコンを示す図
【図５】  本発明の実施例２の制御方式を示す流れ図
【図６】  従来例の配管構成を示した断面図
【符号の説明】
１  運転制御部
２  リモコン
３  加熱手段
４  混合制御手段
８  給湯検知手段
９  タンク
１１  給湯プラグ
１４  減圧弁
１６  風呂往きプラグ
１７  風呂戻りプラグ
２０  風呂出湯弁
２１  湯水混合器
【図１】
0004019556.tif 000002
【図２】
0004019556.tif 000003
【図３】
0004019556.tif 000004
【図４】
0004019556.tif 000005
【図５】
0004019556.tif 000006
【図６】
0004019556.tif 000007